(57)【要約】      （修正有）【課題】パターン間のリーク電流を抑止する構造を有する回路装置を提供する。【解決手段】本形態の回路装置１０は、回路素子１３と所望の導電パターン１２を有し一体に樹脂モールドされた回路装置に於いて、回路素子１３の高インピーダンスの入力端子と接続された第１の導電パターン１２Ａと、第１の導電パターンに近接されて設けた第２の導電パターン１２Ｂと、第１および第２の導電パターン間に延在されるガード導電パターン１２Ｃとを備え、第１の導電パターン１２Ａと第２の導電パターン１２Ｂとの間のリーク電流を防止する構成となっている。【選択図】図１
2005101180.tif 000002
【特許請求の範囲】
【請求項１】
回路素子と所望の導電パターンを有し一体に樹脂モールドされた回路装置に於いて、
前記回路素子の高インピーダンスの入力端子と接続された第１の導電パターンと、前記第１の導電パターンに近接されて設けた第２の導電パターンと、前記第１および前記第２の導電パターン間に延在されるガード導電パターンとを備え、
前記第１の導電パターンと前記第２の導電パターンとの間のリーク電流を防止することを特徴とする回路装置。
【請求項２】
前記第１の導電パターンに最も電位が近い前記導電パターンが、前記ガード導電パターンとして採用されることを特徴とする請求項１記載の回路装置。
【請求項３】
前記ガード導電パターンにより、前記第１の導電パターンは囲まれることを特徴とする請求項１記載の回路装置。
【請求項４】
第１の配線層および第２の配線層から成る多層の配線構造を有し、
前記第１の配線層または前記第２の配線層に前記ガード導電パターンが形成されることを特徴とする請求項１記載の回路装置。
【請求項５】
前記導電パターンの裏面を露出して、前記回路素子および前記導電パターンは封止樹脂により封止されることを特徴とする請求項１記載の回路装置。
【請求項６】
前記第１の導電パターンは、ＯＰアンプの入力端子に接続されることを特徴とする請求項１記載の回路装置。
【請求項７】
前記ガード導電パターンは、接地電位と接続されることを特徴とする請求項１記載の回路装置。
【発明の詳細な説明】
【技術分野】
【０００１】
本発明は回路装置に関し、特に、導電パターン同士のリーク電流を抑止する構造を有する回路装置に関するものである。
【背景技術】
【０００２】
図６を参照して、従来型の半導体装置１００の構成について説明する。図６（Ａ）は半導体装置１００の平面図であり、図６（Ｂ）はその断面図である（特許文献１参照）。
【０００３】
図６（Ａ）を参照して、半導体装置１００の中央部には導電材料から成るランド１０２が形成され、ランド１０２の周囲には多数個のリード１０１の一端が接近している。リード１０１の一端は金属細線１０５を介して半導体素子１０４と電気的に接続され、他端は封止樹脂１０３から露出している。封止樹脂１０３は、半導体素子１０４、ランド１０２およびリード１０１を封止して一体に支持する働きを有する。
【特許文献１】特開平１１−３４０２５７号公報
【発明の開示】
【発明が解決しようとする課題】
【０００４】
しかしながら、上述した半導体装置１００では、電位が大きく異なるリード１０１同士が近接した場合、両者の間にリーク電流が発生する恐れがあった。特に、片方のリード１０１のインピーダンスが高い場合、このリーク電流がインピーダンスの高いリード１０１に流れ込むことにより、装置内部に構成される電気回路の特性が変化してしまう問題があった。
【０００５】
本発明は上述した問題点を鑑みて成されたものであり、本発明の主な目的は、パターン間のリーク電流を抑止する構造を有する回路装置を提供することにある。
【課題を解決するための手段】
【０００６】
本発明の回路装置は、回路素子と所望の導電パターンを有し一体に樹脂モールドされた回路装置に於いて、前記回路素子の高インピーダンスの入力端子と接続された第１の導電パターンと、前記第１の導電パターンに近接されて設けた第２の導電パターンと、前記第１および前記第２の導電パターン間に延在されるガード導電パターンとを備え、前記第１の導電パターンと前記第２の導電パターンとの間のリーク電流を防止することを特徴とする。
【０００７】
更に、本発明の回路装置は、前記第１の導電パターンに最も電位が近い前記導電パターンが、前記ガード導電パターンとして採用されることを特徴とする。
【０００８】
更に、本発明の回路装置は、前記ガード導電パターンにより、前記第１の導電パターンは囲まれることを特徴とする。
【０００９】
更に、本発明の回路装置は、第１の配線層および第２の配線層から成る多層の配線構造を有し、前記第１の配線層または前記第２の配線層に前記ガード導電パターンが形成されることを特徴とする。
【００１０】
更に、本発明の回路装置は、前記導電パターンの裏面を露出して、前記回路素子および前記導電パターンは封止樹脂により封止されることを特徴とする。
【００１１】
更に、本発明の回路装置は、前記第１の導電パターンは、ＯＰアンプの入力端子に接続されることを特徴とする。
【００１２】
更に、本発明の回路装置は、前記ガード導電パターンは、接地電位と接続されることを特徴とする。
【発明の効果】
【００１３】
本発明の回路装置によれば、電位の異なる導電パターンの間にガード導電パターンを延在させることにより、装置内部でのリーク電流を抑止することができる。従って、装置に内蔵される電気回路の特性を向上させることができる。更に、実装基板側でリーク電流の対策を省いた構成にすることができるので、実装基板のパターン構造を簡略化することができる。
【発明を実施するための最良の形態】
【００１４】
図１を参照して、本形態の回路装置１０の構成を説明する。図１（Ａ）は回路装置１０Ａの平面図であり、図１（Ｂ）および図１（Ｃ）はその断面図である。
【００１５】
図１（Ａ）を参照して、本形態の回路装置１０は、回路素子１２と所望の導電パターン１２を有し一体に樹脂モールドされた回路装置に於いて、回路素子１３の高インピーダンスの入力端子と接続された第１の導電パターン１２Ａと、第１の導電パターンに近接されて設けた第２の導電パターン１２Ｂと、第１および第２の導電パターン間に延在されるガード導電パターン１２Ｃとを備え、第１の導電パターン１２Ａと第２の導電パターン１２Ｂとの間のリーク電流を防止する構成となっている。以下にて各要素の詳細および関連構成を説明する。
【００１６】
第１の導電パターン１２Ａ、第２の導電パターン１２Ｂ、および、ガード導電パターン１２Ｃは銅等の金属から成る。そして、これらの導電パターン１２は、エッチングにより形成される分離溝１９に充填された封止樹脂１８により分離されている。
【００１７】
回路素子１３は、ここでは、半導体素子１３Ａおよびチップ素子１３Ｂから成っている。また、ＬＳＩチップ、ベアのトランジスタチップ、ダイオード等の能動素子を回路素子１３として採用することができる。更にまた、チップ抵抗、チップコンデンサ、または、インダクタ等の受動素子を回路素子１３として採用することもできる。具体的な接続構造としては、半導体素子１３Ａは、その裏面が導電パターン１２より成るダイパッドに固着されている。そして、半導体素子１３Ａの表面の電極と導電パターン１２から成るボンディングパッドとは、金属細線１５を介して電気的に接続されている。また、半導体素子１３Ａはフェイスダウンで接続することも可能である。チップ素子１３Ｂは、その両端の電極が、半田等のロウ材を介して導電パターン１２に固着されている。
【００１８】
封止樹脂１８は、インジェクションモールドにより形成される熱可塑性樹脂、または、トランスファーモールドより形成される熱硬化性樹脂からなる。そして、封止樹脂１８は装置全体を封止する働きを有すると同時に、装置全体を機械的に支持する機能も有する。図１（Ｂ）を参照して、封止樹脂１８は、導電パターン１２の裏面を外部に露出させて、回路素子１３、金属細線１５、および、導電パターン１２を封止している。
【００１９】
また、導電パターン１２が露出する封止樹脂１８の下面は、外部電極１７が形成される箇所を除いて、樹脂から成るレジスト１６により被覆されている。外部電極１７は半田等のロウ材から成り、導電パターン１２の裏面に形成されている。
【００２０】
図１（Ａ）を参照して、本発明の利点であるリーク電流を抑止する導電パターン１２の構成を具体的に説明する。
【００２１】
図１（Ａ）の第１の領域Ａ１を参照して、第１の導電パターン１２Ａは、金属細線１５を介して半導体素子１３Ａと電気的に接続されている。そして、この第1の導電パターン１２Ａは、他の導電パターンと比較して、インピーダンスが高い導電パターンである。一例として、第１の導電パターン１２Ａは、ＯＰアンプ(Operational Amplifier)の反転入力部、または、非反転入力部に接続することができる。このことから、第1の導電パターン１２Ａのインピーダンスは、例えば、数百キロΩ〜数メガΩ程度であり、非常に高い。このことを換言すると、第1の導電パターン１２Ａを流れる電流は非常に小さくなっている。具体的に、オペアンプの入力端子に接続された第1の導電パターン１２Ａに流れる電流の値は、例えば、数マイクロアンペア程度である。ここでは、第１の導電パターンは、ＩＣである半導体素子１３Ａに接続されているが、上記した他の回路素子１３に接続しても良い。
【００２２】
第２の導電パターン１２Ｂは、上述した第１の導電パターン１２Ａに近接されて設けられている。この第２の導電パターン１２Ｂは、上述した第１の導電パターン１２Ａとは電位が異なる導電パターンである。例えば、第１の導電パターンよりも電位が高いパターン、または、第１の導電パターン１２Ａよりも電位が低いパターンを第２の導電パターン１２Ｂとして採用することができる。
【００２３】
このように、第１の導電パターン１２Ａと第２の導電パターン１２Ｂとは電位が異なる。従って、この電位差により、第２の導電パターン１２Ｂから第１の導電パターン１２Ａへリーク電流が流入する恐れがある。第１の導電パターン１２Ａのインピーダンスが高く、第２の導電パターン１２Ｂの電位が高い場合を考えると、この問題は顕著である。この理由は、リーク電流によるオペアンプの誤動作が発生する恐れがあるからである。そこで本願では、この問題をガード導電パターン１２Ｃにより解決している。
【００２４】
ガード導電パターン１２Ｃは、第１の導電パターン１２Ａと第２の導電パターン１２Ｂとの間を延在して、第１の導電パターン１２Ａと第２の導電パターン１２Ｂとの間に発生するリーク電流を抑止する導電パターンである。ここでは、ガード導電パターン１２Ｃが、第１の導電パターン１２Ａと第２の導電パターン１２Ｂとの間を直線的に延在している。ガード導電パターン１２Ｃとしては、第２の導電パターン１２Ｂよりも第１の導電パターン１２Ａに電位が近い導電パターンが採用される。回路装置１０Ａを構成する導電パターン１２のなかでも、最も第１の導電パターン１２Ａに電位が近い導電パターン１２を、ガード導電パターン１２Ｃとして採用することもできる。更に、ガード導電パターン１２Ｃとしては、装置に内蔵される回路素子１３と電気的に接続される導電パターン１２を採用することができる。
【００２５】
回路装置１０Ａ内部に、第１の導電パターン１２Ａに電位が近い導電パターン１２が無い場合は、回路装置の外部から第１の導電パターン１２Ａに近い電位を引き回すことができる。具体的には、回路装置１０Ａが実装される基板側の導電路から、外部電極１７を介して、ガード導電パターン１２Ｃに電位を引き回すことができる。この様な場合に於いては、ガード導電パターン１２Ｃは必ずしも回路素子１３と接続される必要な無い。従って、このような場合は、ガード導電パターン１２Ｃは、第１の導電パターン１２Ａと第２の導電パターン１２Ｂとの間との間を延在する配線部のみで構成することができる。
【００２６】
第１の導電パターン１２Ａとして、オペアンプの入力端子が採用された場合を考える。例として、オペアンプの入力電位が小さく設定されている場合、ガード導電パターン１２Ｃとしては、接地電位と接続された導電パターン１２を採用することができる。この構成により、電位の高い第２の導電パターン１２Ｂから、第１の導電パターン１２Ａ側にリーク電流が流れた場合でも、そのリーク電流は、ガード導電パターン１２Ｃにより吸収される。また、上述したように、第１の導電パターン１２Ａとガード導電パターン１２Ｃとは、電位が近似しているので、両者の間にリーク電流は基本的には発生しない。
【００２７】
図１（Ａ）の第２の領域Ａ２を参照して、リーク電流による問題を解決するための他の構成を説明する。ここでは、第１の導電パターン１２Ａの周囲を囲むように、ガード導電パターン１２Ｃが形成されている。この構成により、第１の導電パターン１２Ａへのリーク電流の流入防止の効果を更に向上させることができる。また、第１の導電パターン１２Ａが、電位の異なる第２の導電パターン１２Ｂに囲まれた場合でも、この構成により、リーク電流の流入を防止することができる。ここでは、リング上のガード導電パターン１２は回路素子１３に電気的に接続されているが、上述したように、回路装置１０Ａの外部から電位を引き回すこともできる。
【００２８】
図１（Ａ）の第３の領域Ａ３を参照して、リーク電流による問題を解決するための他の構成を説明する。ここでは、ガード導電パターン１２Ｃは、配線部１２Ｄを介して、離間した導電パターン１２から引き回されている。第１の導電パターン１２Ａに電位が近い導電パターンが、第１の導電パターン１２Ａから離間している場合は、このように配線部１２Ｄを延在させることで、ガード導電パターン１２Ｃを形成することができる。ここでは、導電パターン１２から成る配線部１２Ｄにより電位を引き回しているが、金属細線１５を用いることも可能である。
【００２９】
図１（Ｃ）を参照して、ここでは回路素子１３として、半導体素子１３Ａおよびチップ素子１３Ｂが採用されている。この様に、複数個の回路素子１３を回路装置１０Ａに内蔵させることもできる。
【００３０】
図２を参照して他の形態の回路装置１０Ｂの構成を説明する。図２（Ａ）は回路装置１０Ｂの平面図であり、図２（Ｂ）はその断面図である。この図に示す回路装置１０Ｂの基本的構成は図１に示した１０Ａと同様であり、相違点は、導電パターン１２の延在構造にある。この相違点を中心に以下の説明を行う。
【００３１】
図２（Ａ）の第４の領域Ａ４を参照して、本形態のガード導電パターン１２Ｃは、回路素子１３としての半導体素子１３Ａの下方を延在している。この領域Ａ４に位置する第１の導電パターン１２Ａに電位が近い導電パターン１２Ｅは、平面的に半導体素子１３Ａを挟んだ位置にある。具体的には、第１の導電パターン１２Ａと、このパターンに電位が近い導電パターン１２Ｅは、回路装置１０Ｂの対向する周辺部付近に位置している。本願では、半導体素子１３Ａの下方に形成される配線部１２Ｄを介して、ガード導電パターン１２Ｃと導電パターン１２Ｅとを電気的に接続することができる。即ち、回路素子１３が配置される領域を除外してパターンを引き回すのではなく、導電パターン１２同士を最短で接続することができる。
【００３２】
図２（Ａ）の第５の領域Ａ５を参照して、第１の導電パターン１２Ａと第２の導電パターン１２Ｂとの間に延在したガード導電パターン１２Ｃは、回路素子１３と電気的に接続されていない。つまり、ガード導電パターン１２Ｃは、配線部として延在する部分を形成し、外部電極１７を介して回路装置１０Ｂの外部と接続されている。この構成により、回路装置１０Ｂ内部の導電パターン１２に、第１の導電パターン１２Ａに近似した電位の導電パターン１２が無い場合でも、外部から電位を引き回すことができる。
【００３３】
図２（Ｂ）を参照して、回路装置１０Ｂの断面の構造を説明する。導電パターン１２は、被覆樹脂２４にて被覆され、この被覆樹脂２４の表面に半導体素子１３Ａが固着されている。この構成により、半導体素子１３Ａ等の回路素子１３が配置される領域の下方に、導電パターン１２を引き回すことができるので、配線密度を向上させることができる。また、回路素子１３と電気的に接続される箇所の導電パターン１２の上面は、被覆樹脂２４から露出している。ここは、ボンディングパッドと成る領域の導電パターン１２の上面が、被覆樹脂２４から露出している。
【００３４】
図３を参照して、他の形態の回路装置１０Ｃの構成を説明する。図３（Ａ）は回路装置１０Ｂの平面図であり、図３（Ｂ）はその断面図である。この図に示す回路装置１０Ｃの基本的構成は図１に示した回路装置１０Ａと同様であり、相違点は、複数の配線層を有することにある。この相違点を中心に以下の説明を行う。図３（Ｂ）を参照して、ここでは、絶縁層３２を介して積層された第１の配線層２０および第２の配線層２１から成る２層の配線層を有する。第１の配線層２０と第２の配線層２１とは、絶縁層３２を貫通する接続部２３を介して電気的に接続される。なお、配線層の構造としては、３層以上の配線構造を構成することも可能である。
【００３５】
図３（Ａ）を参照して、上層の配線層である第１の配線層は実線で示されており、下層の配線層である第２の配線層は点線で示されている。この図の第６の領域Ａ６を参照して、第１の導電パターン１２Ａ、第２の導電パターン１２Ｂ、および、ガード導電パターン１２Ｃは、第１の配線層２０から形成されている。このように、第１の配線層２０から成る第１の導電パターン１２Ａと第２の導電パターン１２Ｂとの間に発生するリーク電流を、同じく第１の配線層２０から成るガード導電パターン１２Ｃで抑止することができる。
【００３６】
同図の第７の領域Ａ７を参照して、ここでは、第１の導電パターン１２Ａおよび第２の導電パターン１２Ｂは第１の配線層２０からなり、ガード導電パターン１２Ｃは第２の配線層から成る。図３（Ｂ）を参照して、上層の第１の配線層２０同士のリーク電流の抑止を、下層の第２の配線層２１から成るガード導電パターン１２Ｃにより行うことができる。ここでのガード導電パターン１２Ｃは、接続部２３を介して第１の配線層２０や回路素子１３と電気的に接続されるものでも良い。更に、ここでのガード導電パターン１２Ｃは、第１の配線層２０や回路素子１３と電気的に接続されないものでも良い。
【００３７】
同図の第８の領域Ａ８を参照して、ここでは、第１の導電パターン１２Ａおよび第２の導電パターン１２Ｂは第１の配線層２０からなる。そして、第２の配線層から成る配線部１２Ｄによりガード導電パターン１２Ｃは引き回されている。従って、第１の導電パターン１２Ａと電位が近似する導電パターン１２が、第１の導電パターン１２Ａから離間した位置にある場合でも、第２の配線層２１に形成される配線部１２Ｄにより、パターンの引き回しを行うことができる。
【００３８】
上記の説明では、上層の第１の配線層２０同士のリーク電流を抑止するための構成を説明したが、同様の構成により下層の第２の配線層２１同士のリーク電流を抑止することができる。即ち、第１の配線層２０にガード導電パターン１２Ｃを形成することで、第２の配線層２１同士のリーク電流を防止することができる。更に、第２の配線層２１にガード導電パターン１２Ｃを設けることで、第１の配線層２０同士のリーク電流を防止することもできる。更にまた、第１の配線層２０および第２の配線層２１の両層に、同様の形状のガード導電パターン１２Ｃを形成することも可能であり、リーク電流を防止する効果を更に向上させることができる。
【００３９】
図４を参照して、他の形態の回路装置１０Ｄの構成を説明する。同図に断面を示す回路装置１０Ｄの基本的な構成は、図３に示した回路装置１０Ｃと同様であり、相違点は支持基板３１を有している点にある。この支持基板３１としては、ガラスエポキシ基板等の樹脂製の基板、セラミック基板、金属基板、等の周知の基板を用いることができる。
【００４０】
図５の断面図を参照して、実装基板２５に実装された回路装置１０Ａの構成を説明する。ここでは、図１で説明した回路装置１０Ａを用いて説明するが、以下の構成は他の図を用いて説明した回路装置１０にも適用可能である。
【００４１】
導電パターン１２の裏面に形成されたロウ材から成る外部電極１７を介して、実装基板２５の表面に形成された導電路２６に回路装置１０Ａは固着されている。第１の導電パターン１２Ａは、外部接続電極１７を介して、第１の導電路２６Ａに接続されている。そして、第２の導電パターン１２Ｂは、接続電極１７を介して第２の導電路２６Ｂに接続されている。更に、ガード導電パターン１２Ｃは、実装基板２５側のガード導電路２６Ｃに外部電極１７を介して接続されている。ここで、実装基板２５側のガード導電路２６Ｃは、ガード導電パターン１２Ｃと必ずしも接続される必要は無く、第１の導電パターン１２Ａに電位が近い他の部分に接続されても良い。
【００４２】
回路装置１０Ａ内部にガード導電パターン１２Ｃを設けることで、第１の導電パターン１２Ａへののリーク電流の流入を抑止することが可能であるが、実装基板２５側にもガード導電路２６Ｃを設けることで、この抑止の効果を更に向上させることができる。具体的には、導電路２６の表面に埃等が付着した場合でも、導電路２６同士間に発生するリーク電流を抑止することができる。
【図面の簡単な説明】
【００４３】
【図１】本発明の回路装置を示す平面図（Ａ）、断面図（Ｂ）、断面図（Ｃ）である。
【図２】本発明の回路装置を示す平面図（Ａ）、断面図（Ｂ）である。
【図３】本発明の回路装置を示す平面図（Ａ）、断面図（Ｂ）である。
【図４】本発明の回路装置を示す断面図である。
【図５】本発明の回路装置を示す断面図である。
【図６】従来の回路装置を示す平面図（Ａ）、断面図（Ｂ）である。
【符号の説明】
【００４４】
１０            回路装置
１２Ａ          第１の導電パターン
１２Ｂ          第２の導電パターン
１２Ｃ          ガード導電パターン
１３            回路素子
１３Ａ          半導体素子
１３Ｂ          チップ素子
【図１】
2005101180.tif 000003
【図２】
2005101180.tif 000004
【図３】
2005101180.tif 000005
【図４】
2005101180.tif 000006
【図５】
2005101180.tif 000007
【図６】
2005101180.tif 000008